(57)【要約】【課題】誘電体に貼付された場合においても識別情報を正しく認識する。【解決手段】ベース基材１０の一方の面に積層されたグランドパターン３０と、ベース基材１０の他方の面にグランドパターン３０に対向して積層され、グランドパターン３０と対向することで共振ピークが発現するアンテナ２０とを有し、グランドパターン３０は、平面視にてアンテナ２０を覆う形状を有する。【選択図】図１
2018022356.tif 000002
【特許請求の範囲】
【請求項１】
グランドパターンと、
前記グランドパターンに絶縁層を介して対向配置され、前記グランドパターンと対向することで共振ピークが発現するアンテナとを有し、
前記グランドパターンは、平面視にて前記アンテナを覆う形状を有する、識別体。
【請求項２】
請求項１に記載の識別体において、
前記アンテナは、前記グランドパターンに対向しない状態におけるＱ値が３０以下である、識別体。
【請求項３】
請求項１または請求項２に記載の識別体において、
前記アンテナと前記グランドパターンとが前記絶縁層を介して対向配置される複数の領域を有し、
前記アンテナは、前記グランドパターンに対向することによって発現する共振ピークの周波数が前記複数の領域毎に異なり、
前記複数の領域のそれぞれは、前記アンテナ及び前記グランドパターンが積層された領域と、前記アンテナ及び前記グランドパターンの少なくともいずれか一方が積層されていない領域とのいずれか一方であり、
前記複数の領域毎に共振ピークが検出されるか否かによる２値情報の組み合わせによって識別情報を表す、識別体。
【発明の詳細な説明】
【技術分野】
【０００１】
本発明は、アンテナを用いて識別情報を認識可能とする識別体に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振ピークの周波数が互いに異なる複数のアンテナを有し、ＩＣチップを用いずに複数のアンテナの組み合わせでＩＤを認識できるようにしたものも考えられている。例えば、複数のアンテナを構成する誘電子要素とコンデンサ要素の形状を異ならせたり、複数のアンテナの形状や向きを異ならせたりして共振ピークの周波数を複数のアンテナ毎に異ならせ、そのアンテナの組み合わせでＩＤを表現可能とする技術が、特許文献１，２に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを認識可能に表現することができる。
【先行技術文献】
【特許文献】
【０００４】
【特許文献１】特公平７−８０３８６号公報
【特許文献２】特表２００８−５０３７５９号公報
【発明の概要】
【発明が解決しようとする課題】
【０００５】
ところで、上述したようなＲＦＩＤ技術を利用した識別体は、識別体を用いて管理される商品等に貼付されて使用される場合が多い。その場合、商品等が誘電体で構成されていることにより、識別体の周波数特性が変化し、共振ピークが緩やかなものとなって検出されなくなったり、共振ピークの周波数が大きくシフトしたりして、識別情報となるＩＤを正しく認識することができなくなってしまう虞がある。
【０００６】
本発明は、上述したような従来の技術が有する問題点に鑑みてなされたものであって、誘電体に貼付された場合においても識別情報を正しく認識することができる識別体を提供することを目的とする。
【課題を解決するための手段】
【０００７】
上記目的を達成するために本発明は、
グランドパターンと、
前記グランドパターンに絶縁層を介して対向配置され、前記グランドパターンと対向することで共振ピークが発現するアンテナとを有し、
前記グランドパターンは、平面視にて前記アンテナを覆う形状を有する。
【０００８】
上記のように構成された本発明においては、アンテナがグランドパターンと対向することで共振ピークが発現し、この共振ピークが検出されることで識別情報が認識されることとなるので、識別体が商品等の誘電体に貼付された場合でも、誘電体の影響が識別体の周波数特性に及ぶことがグランドパターンによって回避され、それにより、識別体の周波数特性が変化することが回避され、識別情報が正しく認識されることとなる。
【０００９】
上記のようなアンテナとしては、グランドパターンに対向しない状態におけるＱ値が３０以下であれば、グランドパターンに対向することで、Ｑ値が３０以上となる鋭い共振ピークを発現させることができる。
【００１０】
また、アンテナとグランドパターンとが絶縁層を介して対向配置される複数の領域を有するものにおいては、アンテナが、グランドパターンに対向することによって発現する共振ピークの周波数が複数の領域毎に異なり、複数の領域のそれぞれが、アンテナ及びグランドパターンが積層された領域と、アンテナ及びグランドパターンの少なくともいずれか一方が積層されていない領域とのいずれか一方であることにより、アンテナ及びグランドパターンが積層された領域においては、アンテナのグランドパターンに対向することによって発現した共振ピークが検出され、アンテナ及びグランドパターンの少なくともいずれか一方が積層されていない領域においては、共振ピークが発現しないことで検出されず、これら２値情報の組み合わせからなる識別情報を表すことができる。
【発明の効果】
【００１１】
本発明によれば、アンテナがグランドパターンと対向することで共振ピークが発現し、この共振ピークが検出されることで識別情報が認識されることとなるため、識別体が誘電体に貼付された場合でも、誘電体の影響によって識別体の周波数特性が変化することがグランドパターンにより回避され、共振ピークを検出することで識別情報が正しく認識することができる。
【００１２】
また、アンテナとグランドパターンとが対向配置される複数の領域を有するものにおいて、アンテナが、グランドパターンに対向することによって発現する共振ピークの周波数が複数の領域毎に異なり、複数の領域のそれぞれが、アンテナ及びグランドパターンが積層された領域と、アンテナ及びグランドパターンの少なくともいずれか一方が積層されていない領域とのいずれか一方であることにより、共振ピークが検出された領域と共振ピークが検出されない領域とによる２値情報の組み合わせからなる識別情報を表すことができる。
【図面の簡単な説明】
【００１３】
【図１】本発明の識別体の基本的な構成例を示す図であり、（ａ）は表面の構成を示す図、（ｂ）は（ａ）に示したＡ−Ａ’断面図、（ｃ）は裏面の構成を示す図である。
【図２】図１に示したＩＤタグの作用を説明するための図であり、（ａ）はアンテナが単体で共振ピークを有するものである場合にベース基材にグランドパターンが積層されていない状態にてＩＤタグを誘電体に貼付した場合の周波数特性の変化を示す図、（ｂ）は図１に示したＩＤタグを誘電体に貼付した場合の周波数特性の変化を示す図である。
【図３】本発明の識別体の実用例を示す図であり、（ａ）は表面の構成を示す図、（ｂ）は（ａ）に示したＡ−Ａ’断面図、（ｃ）は裏面の構成を示す図である。
【図４】図３に示したＩＤタグに付与されたＩＤを認識するＩＤ認識システムの一例を示す図である。
【図５】グランドパターンと対向するアンテナの特性を説明するための図であり、（ａ）は、グランドパターンと対向した場合に共振ピークが発現しなくなるアンテナの特性を示す図、（ｂ）はグランドパターンと対向することで共振ピークが発現するアンテナの特性を示す図である。
【発明を実施するための形態】
【００１４】
以下に、本発明の実施の形態について図面を参照して説明する。
【００１５】
図１は、本発明の識別体の基本的な構成例を示す図であり、（ａ）は表面の構成を示す図、（ｂ）は（ａ）に示したＡ−Ａ’断面図、（ｃ）は裏面の構成を示す図である。
【００１６】
本構成例における識別体は図１に示すように、ベース基材１０の表面にアンテナ領域２１が設けられ、このアンテナ領域２１に導電性のアンテナ２０が積層され、ベース基材１０の裏面にアンテナ２０と対向してグランドパターン３０が積層され、それにより、アンテナ２０とグランドパターン３０とがベース基材１０を介して対向配置されて構成されたＩＤタグ１である。
【００１７】
アンテナ２０は、長方形の形状であり、グランドパターン３０と対向することで、アンテナ２０の形状に応じた周波数にて共振ピークを発現する。
【００１８】
グランドパターン３０は、アンテナ２０よりも大きく、平面視にてアンテナ２０を覆う形状を有している。
【００１９】
ベース基材１０は、本願発明における絶縁層となるものであって、２００〜３００μｍ程度の厚みを有する絶縁性材料からなる。絶縁性材料としては、樹脂フィルム等が考えられるが、誘電正接が小さなものが好ましい。なお、絶縁層として、ベース基材１０を用いずに、絶縁性樹脂膜を塗布することで構成したものであってもよい。
【００２０】
上記のように構成されたＩＤタグ１においては、アンテナ２０が、グランドパターン３０と対向することでアンテナ２０の形状に応じた周波数にて共振ピークを発現するため、電磁波を照射し、その反射波において、アンテナ２０の形状に応じた周波数の近傍にて共振ピークが検出されるかどうかによって、ＩＤタグ１に付与されたＩＤを認識することができる。具体的には、アンテナ領域２１にアンテナ２０が形成されていれば共振ピークが検出されるため、その際のＩＤを“１”とし、また、アンテナ領域２１にアンテナ２０が形成されていなければ共振ピークが検出されないため、その際のＩＤを“０”とすることで、ＩＤを認識することができる。なお、アンテナ２０が、グランドパターン３０と対向することで共振ピークを発現することについての詳細な説明は後述する。
【００２１】
以下に、上述したＩＤタグ１の利用方法について説明する。
【００２２】
まず、図１に示したＩＤタグ１の作用について説明する。
【００２３】
図２は、図１に示したＩＤタグ１の作用を説明するための図であり、（ａ）はアンテナが単体で共振ピークを有するものである場合にベース基材にグランドパターンが積層されていない状態にてＩＤタグを誘電体に貼付した場合の周波数特性の変化を示す図、（ｂ）は図１に示したＩＤタグ１を誘電体に貼付した場合の周波数特性の変化を示す図である。
【００２４】
図２（ａ）の実線で示すように、８．３ＧＨｚ近傍に共振ピークを有するアンテナがベース基材に積層されてなるＩＤタグを誘電体に貼付した場合のアンテナの周波数特性の変化を測定した。
【００２５】
このＩＤタグを紙に貼り付けた場合、図２（ａ）の破線で示すようにアンテナの周波数特性が変化し、共振ピークの周波数が低周波側にシフトするとともに、反射強度が低下してしまう。そのため、８．３ＧＨｚ近傍に共振ピークを有するアンテナを具備するＩＤタグであっても、電磁波を照射した場合にその反射波にて８．３ＧＨｚ近傍に共振ピークが検出されず、ＩＤタグに付与されたＩＤを認識することができなくなってしまう。
【００２６】
また、このＩＤタグをガラスに貼り付けた場合、図２（ａ）の一点鎖線で示すようにアンテナの周波数特性が変化し、共振ピークの周波数が低周波側にシフトしてしまう。そのため、８．３ＧＨｚ近傍に共振ピークを有するアンテナを具備するＩＤタグであっても、電磁波を照射した場合にその反射波にて８．３ＧＨｚ近傍に共振ピークが検出されず、ＩＤタグに付与されたＩＤを認識することができなくなってしまう。
【００２７】
一方、図１に示したＩＤタグ１においては、図２（ｂ）に示すように、アンテナ２０がグランドパターン３０と対向することで８．４ＧＨｚ近傍に共振ピークが発現することになるが、このＩＤタグ１を紙に貼り付けた場合も、ガラスに貼り付けた場合も、紙やガラスの影響がＩＤタグ１の周波数特性に及ぶことがグランドパターン３０によって回避され、それにより、ＩＤタグ１の周波数特性が変化することが回避され、電磁波を照射した場合にその反射波にて８．４ＧＨｚ近傍にて共振ピークが検出され、ＩＤタグ１に付与された識別情報となるＩＤを認識することができる。
【００２８】
次に、上述した作用を利用して実際にＩＤを生成し、そのＩＤを認識する実用例について説明する。
【００２９】
図３は、本発明の識別体の実用例を示す図であり、（ａ）は表面の構成を示す図、（ｂ）は（ａ）に示したＡ−Ａ’断面図、（ｃ）は裏面の構成を示す図である。
【００３０】
本実用例における識別体は図３に示すように、図１に示したベース基材１０と同様のベース基材１１０の表面に５つのアンテナ領域１２１ａ〜１２１ｅを有するＩＤタグ１である。
【００３１】
アンテナ領域１２１ａ〜１２１ｅは、互いに異なる周波数が割り当てられている。本形態においては、アンテナ領域１２１ａには、７．０ＧＨｚの周波数が割り当てられており、アンテナ領域１２１ｂには、８．０ＧＨｚの周波数が割り当てられており、アンテナ領域１２１ｃには、９．０ＧＨｚの周波数が割り当てられており、アンテナ領域１２１ｄには、１０．０ＧＨｚの周波数が割り当てられており、アンテナ領域１２１ｅには、１１．０ＧＨｚの周波数が割り当てられている。
【００３２】
ベース基材１１０の裏面には、アンテナ領域１２１ａ〜１２１ｅのそれぞれに対向してグランドパターン１３０ａ〜１３０ｅが積層されている。グランドパターン１３０ａ〜１３０ｅのそれぞれは、アンテナ領域１２１ａ〜１２１ｅよりも大きく、平面視にてアンテナ領域１２１ａ〜１２１ｅを覆う形状を有している。
【００３３】
アンテナ領域１２１ａには、グランドパターン１３０ａと対向することで、アンテナ領域１２１ａに割り当てられた７．０ＧＨｚ近傍にて共振ピークが発現するアンテナ１２０ａが形成されている。アンテナ領域１２１ｂには、グランドパターン１３０ｂと対向することで、アンテナ領域１２１ｂに割り当てられた８．０ＧＨｚ近傍にて共振ピークが発現するアンテナ１２０ｂが形成されている。アンテナ領域１２１ｃには、グランドパターン１３０ｃと対向することで、アンテナ領域１２１ｃに割り当てられた９．０ＧＨｚ近傍にて共振ピークが発現するアンテナ１２０ｃが形成されている。アンテナ領域１２１ｄには、アンテナが形成されていない。アンテナ領域１２１ｅには、グランドパターン１３０ｅと対向することで、アンテナ領域１２１ｅに割り当てられた１１．０ＧＨｚ近傍にて共振ピークが発現するアンテナ１２０ｅが形成されている。これらアンテナ領域１２１ａ〜１２１ｅに形成されるアンテナは、同一の幅を有し、その長手方向の長さが異なることにより、グランドパターンと対向することで互いに異なる周波数にて共振ピークが発現するものとなっている。また、アンテナ領域１２１ａ〜１２１ｅのうち、アンテナ領域１２１ａ，１２１ｂ，１２１ｄ，１２１ｅに形成されるアンテナは、その長手方向が互いに同一方向となるのに対して、アンテナ領域１２１ｃに形成されるアンテナは、その長手方向がこれらに対して直交しており、基準アンテナとなるものである。このように、アンテナ領域１２１ａ，１２１ｂ，１２１ｄ，１２１ｅに形成されるアンテナとアンテナ領域１２１ｃに形成されるアンテナとは、長手方向が直交することにより、偏波方向が互いに異なっている。
【００３４】
図４は、図３に示したＩＤタグ１０１に付与されたＩＤを認識するＩＤ認識システムの一例を示す図である。
【００３５】
本例におけるＩＤ認識システムは図４に示すように、図３に示したＩＤタグ１０１と、ＩＤタグ１０１に付与されたＩＤを認識する読取装置４０とから構成され、読取装置４０は、アンテナ４１ａ，４１ｂと、電磁波放射部４２と、反射波受信部４３と、処理部４４と、制御部４７とを有する。
【００３６】
電磁波放射部４２は、アンテナ領域１２１ａ〜１２１ｅに割り当てられた周波数を含む電磁波を、アンテナ４１ａを介して送信する。
【００３７】
反射波受信部４３は、電磁波放射部４２からアンテナ４１ａを介して送信された電磁波に対するＩＤタグ１０１からの反射波を、アンテナ４１ｂを介して受信する。
【００３８】
処理部４４は、反射強度検知部４５と、ＩＤ認識部４６とを有する。
【００３９】
反射強度検知部４５は、反射波受信部４３にて受信された反射波における反射強度を検知する。
【００４０】
ＩＤ認識部４６は、反射強度検知部４３にて検知された反射強度によってＩＤタグ１０１における共振ピークを検出し、アンテナ領域１２１ａ〜１２１ｅに割り当てられた周波数のうち、共振ピークが検出された周波数についての個別ＩＤを“１”とし、共振ピークが検出されなかった周波数についての個別ＩＤを“０”とし、これら“１”と“０”とを周波数の順序に並べることで、ＩＤタグ１０１に付与されたＩＤを認識する。この際、アンテナ領域１２１ｃに形成されたアンテナ１２０ｃが、上述したように、アンテナ領域１２１ａ，１２１ｂ，１２１ｄ，１２１ｅに形成されるアンテナに対して偏波方向が異なっているためアンテナ１２０ｃを基準アンテナとして利用する。
【００４１】
制御部４７は、電磁波放射部４２における電磁波の放射、及び処理部４４における各処理を制御する。
【００４２】
上記のように構成された読取装置４０を用いて、ＩＤタグ１０１に付与されたＩＤを認識する場合は、電磁波放射部４２において、アンテナ領域１２１ａ〜１２１ｅに割り当てられた７．０ＧＨｚ〜１１．０ＧＨｚを含む周波数帯をスイープしながら当該周波数帯の電磁波を、ＩＤタグ１０１に対してアンテナ４１ａを介して放射する。
【００４３】
すると、ＩＤタグ１０１からの反射波が、受信アンテナ４１ｂを介して反射波受信部４３にて受信され、反射強度検知部４５において、反射波受信部４３にて受信された反射波における反射強度が検知される。図３に示したＩＤタグ１０１においては、上述したように、アンテナ領域１２１ａに、７．０ＧＨｚ近傍にて共振ピークが発現したアンテナ１２０ａが形成され、アンテナ領域１２１ｂに、８．０ＧＨｚ近傍にて共振ピークが発現したアンテナ１２０ｂが形成され、アンテナ領域１２１ｃに、９．０ＧＨｚ近傍にて共振ピークが発現したアンテナ１２０ｃが形成され、アンテナ領域１２１ｅに、１１．０ＧＨｚ近傍にて共振ピークが発現したアンテナ１２０ｅが形成されているため、反射波受信部４３にて受信された反射波における反射強度は、７．０ＧＨｚ、８．０ＧＨｚ、９．０ＧＨｚ及び１１．０ＧＨｚのそれぞれにて共振ピークを有するものとなる。
【００４４】
そして、アンテナ領域１２１ａ〜１２１ｅに割り当てられた周波数が１ＧＨｚずつの等間隔であることから、ＩＤ認識部４６において、１ＧＨｚの間隔で、共振ピークが検出された周波数についての個別ＩＤを“１”とし、共振ピークが検出されなかった周波数についての個別ＩＤを“０”とし、これら２値情報となる“１”と“０”とを、例えば周波数の低い順序に並べることで、ＩＤタグ１０１に付与されたＩＤが認識される。図３に示したＩＤタグ１０１においては、上述したように、７．０ＧＨｚ、８．０ＧＨｚ、９．０ＧＨｚ及び１１．０ＧＨｚのそれぞれにて共振ピークが検出されるため、個別ＩＤ“１”，“１”，“１”，“０”，“１”がこの順序に並べられてなるＩＤ“１１１０１”が認識される。なおこの際、９．０ＧＨｚの共振ピークは、偏波方向が他のアンテナとは異なる基準アンテナ１２０ｃによるものであるため、他の共振ピークとは区別することができる。そのため、アンテナ領域１２１ｃには必ずアンテナ１２０ｃを形成しておくことにより、アンテナ１２０ｃの共振ピークによる個別ＩＤ“１”が中央にくるように個別ＩＤを並べることで、最も低い周波数が割り当てられたアンテナ領域１２１ａや、最も高い周波数が割り当てられたアンテナ領域１２１ｅにアンテナ１２０ａ，１２０ｅが形成されていない場合や、反射強度検知部４５にて検知された反射強度における共振ピークが若干ずれた場合でも、ＩＤタグ１０１に付与されたＩＤを正確に認識することができる。なお、基準アンテナ１２０ｃによる共振ピークを他のアンテナのものと区別可能とするためには、反射波の波形を他のアンテナからの反射波とは異なるものとすれば、偏波方向を異ならせるものに限らない。
【００４５】
以下に、上述したアンテナ２０，１２０ａ〜１２０ｃ，１２０ｅが、グランドパターン３０，１３０ａ〜１３０ｃ，１３０ｅと対向することで共振ピークを発現することについて説明する。
【００４６】
図５は、グランドパターンと対向するアンテナの特性を説明するための図であり、（ａ）は、グランドパターンと対向した場合に共振ピークが発現しなくなるアンテナの特性を示す図、（ｂ）はグランドパターンと対向することで共振ピークが発現するアンテナの特性を示す図である。
【００４７】
図５（ａ）の実線で示すように、Ｑ値が３０を超える鋭い共振ピークを有するアンテナにおいては、図１や図３に示したようにグランドパターンと対向した場合、図５（ａ）の破線で示すように共振ピークが発現しなくなる。
【００４８】
一方、図５（ｂ）の実線で示すように、Ｑ値が２０である緩やかな共振ピークを有するアンテナにおいては、図１や図３に示したようにグランドパターンと対向した場合、図５（ｂ）の破線で示すように、異なる周波数にて、Ｑ値が３０以上となる鋭い共振ピークが発現するようになる。このように、グランドパターンに対向した場合に共振ピークが発現するためには、Ｑ値が３０以下、好ましくは２０以下であるか、あるいは、アンテナ単体では共振ピークが発現しないものである必要がある。
【００４９】
なお、Ｑ値とは、共振ピークでの周波数をω0とし、その共振ピークよりも低周波側にて振動エネルギーが共振ピークの半値となる周波数をω1とし、共振ピークよりも高周波側にて振動エネルギーが共振ピークの半値となる周波数をω2とした場合、Ｑ＝ω0／（ω2−ω1）で表される値である。
【００５０】
そのため、図１及び図３に示したアンテナ２０，１２０ａ〜１２０ｃ，１２０ｅにおいても、アンテナ２０，１２０ａ〜１２０ｃ，１２０ｅ単体、すなわち、グランドパターン３０，１２０ａ〜１２０ｃ，１２０ｅに対向しない状態におけるＱ値が３０以下であることにより、グランドパターン３０，１３０ａ〜１３０ｃ，１３０ｅと対向することで、Ｑ値が３０以上の鋭い共振ピークが発現することになる。
【００５１】
なお、図３に示したＩＤタグ１０１においては、ベース基材１１０の裏面に、アンテナ領域１２１ａ〜１２１ｅのそれぞれに対向してグランドパターン１３０ａ〜１３０ｅが積層されているが、グランドパターン１３０ａ〜１３０ｅが繋がっていたり、ベース基材１１０の裏面の全面にグランドパターンが積層され、このグランドパターンがアンテナ領域１２１ａ〜１２１ｅのそれぞれに対向していたりしてもよい。
【００５２】
また、図１及び図３に示したＩＤタグ１，１０１においては、グランドパターン３０，１３０ａ〜１３０ｅのそれぞれが、対向するアンテナよりも大きく、平面視にてアンテナを覆う形状を有しているが、平面視にて対向するアンテナの極わずかの領域を覆わないものであってもよく、それも併せて、平面視にてアンテナを覆う形状を有すると定義する。
【００５３】
また、図３に示したＩＤタグ１０１においては、アンテナ領域１２１ａ〜１２１ｅの全てに対向して後ランドパターン１３０ａ〜１３０ｅが積層されており、アンテナ領域１２１ｄにアンテナが形成されていないことで、アンテナ領域１２１ｄに割り当てられた周波数にて共振ピークが検出されない構成となっているが、アンテナ領域１２１ｄにアンテナを形成するとともに、グランドパターン１３０ｄを積層しない構成としたり、アンテナとグランドパターン１３０ｄのいずれも積層しない構成としたりすることによっても、アンテナ領域１２１ｄに割り当てられた周波数にて共振ピークが検出されないものとすることができる。
【００５４】
また、図３に示したものにおいては、アンテナ領域１２１ａ〜１２１ｅのそれぞれに、周波数が割り当てられており、アンテナ領域１２１ａ〜１２１ｃ，１２１ｅに、グランドパターン１３０ａ〜１３０ｃ，１３０ｅと対向することで、アンテナ領域１２１ａ〜１２１ｄ，１２１ｅに割り当てられた周波数近傍にて共振ピークが発現するアンテナ１２０ａ〜１２０ｃ，１２０ｅが形成されているが、共振ピークを検出するための周波数の範囲と、アンテナ領域１２１ａ〜１２１ｅに形成されるアンテナの共振ピークの間隔が決まっていれば、アンテナ領域１２１ａ〜１２１ｅのそれぞれに周波数が割り当てられていなくても、共振ピークが検出されるかどうかによって決まる個別ＩＤを並べることで、ＩＤタグに付与されたＩＤを認識することができる。
【符号の説明】
【００５５】
１，１０１    ＩＤタグ
１０，１１０    ベース基材
２０，４１ａ，４１ｂ，１２０ａ〜１２０ｃ，１２０ｅ    アンテナ
２１，１２１ａ〜１２１ｅ    アンテナ領域
３０，１３０ａ〜１３０ｅ    グランドパターン
４０    読取装置
４２    電磁波放射部
４３    反射波受信部
４４    処理部
４５    反射強度検知部
４６    ＩＤ認識部
４７    制御部
【図１】
2018022356.tif 000003
【図２】
2018022356.tif 000004
【図３】
2018022356.tif 000005
【図４】
2018022356.tif 000006
【図５】
2018022356.tif 000007